(57)【要約】      （修正有）【課題】運搬及び組立てが容易な装飾体を提供する。【解決手段】装飾体１０が、連結体１１と、連結体１１を回転駆動する駆動部１２と、を備え、連結体１１が、複数の分割体１３，１４を回転軸方向に沿って組み合わせて構成され、複数の分割体１３，１４が、回転軸周りに設けた複数の縦ピース１５と、複数の縦ピース１５を連結する横ピース１６とを、それぞれ備える。一方の分割体１３の縦ピース１５のそれぞれと、他方の分割体１４の縦ピース１５のそれぞれが、連続するように、分割体１３、１４と配置して装飾体１０を組立可能にする。【選択図】図１
0003200515.tif 000002
【実用新案登録請求の範囲】
【請求項１】
連結体と、該連結体を回転駆動する駆動部と、を備え、
前記連結体が、複数の分割体を回転軸方向に沿って組み合わせて構成され、
前記複数の分割体が、回転軸周りに設けた複数の縦ピースと、前記複数の縦ピースを連結する横ピースとを、それぞれ備える、装飾体。
【請求項２】
一方の前記分割体の前記縦ピースのそれぞれと、他方の前記分割体の前記縦ピースのそれぞれが、連続するように配置され、一方の前記分割体と他方の前記分割体とが、前記横ピースに設けた係合部により連結されている、請求項１に記載の装飾体。
【請求項３】
前記一方の分割体と前記他方の分割体と跨ぐように、表示部が前記連結体に装着されている、請求項１に記載の装飾体。
【請求項４】
連結体と、該連結体を回転駆動する駆動部と、を備え、
前記連結体が、弓形の形状を有して回転軸周りに間隔をあけて配置される複数の縦ピースと、前記複数の縦ピースを連結する横ピースと、を備え、
前記縦ピースの下端部が前記横ピースに対して揺動可能に取り付けられ、複数の縦ピースの上端側を展開及び縮小自在な、装飾体。
【請求項５】
前記複数の縦ピースは、弓形の本体部から離れて直線状に延びる延出部をそれぞれ備え、
前記複数の縦ピースのそれぞれの前記延出部によって台座が構成され、
表示部が前記台座により支持されている、請求項４に記載の装飾体。
【請求項６】
さらに、ＬＥＤライトが前記縦ピースに列を成して配置されている、請求項１乃至５の何れかに記載の装飾体。
【考案の詳細な説明】
【技術分野】
【０００１】
本考案は、興趣に富むとともに装飾効果に優れ、組み立て及び搬送が容易な装飾体に関する。
【背景技術】
【０００２】
事業を営む会社、商店、社交場などは、広告や看板を用いて人目を引くように工夫している。人目を引く装飾体として、本出願人による特許文献１に開示された装飾体がある。その装飾体は、フレーム体に複数のＬＥＤランプが配列して装着されており、駆動体がフレーム体を回転駆動するように構成されている。
【先行技術文献】
【特許文献】
【０００３】
【特許文献１】実用新案登録第３１８９４８１号公報
【考案の概要】
【考案が解決しようとする課題】
【０００４】
しかしながら、その装飾体では、ＬＥＤランプを装着する複数の縦フレームと、複数の横フレームとを組み合わせてフレーム体とし、駆動部がフレーム体を回転駆動するため、取付現場においてフレーム体を組み立てると手間が掛かっていた。また、フレーム体を組み立てた後に搬送するには、フレーム体が大きく、容易に梱包することもできず、搬送に手間が掛かっていた。
【０００５】
そこで、本考案は梱包及び搬送が容易な装飾体を提供することを目的とする。
【課題を解決するための手段】
【０００６】
本考案のコンセプトは以下の通りである。
［１］連結体と、該連結体を回転駆動する駆動部と、を備え、
前記連結体が、複数の分割体を回転軸方向に沿って組み合わせて構成され、
前記複数の分割体が、回転軸周りに設けた複数の縦ピースと、前記複数の縦ピースを連結する横ピースとを、それぞれ備える装飾体。
［２］一方の前記分割体の前記縦ピースのそれぞれと、他方の前記分割体の前記縦ピースのそれぞれが連続するように配置され、一方の前記分割体と他方の前記分割体とが、前記横ピースに設けた係合部により連結されている、前記［１］に記載の装飾体。
［３］表示部が、前記一方の分割体と前記他方の分割体と跨ぐように前記連結体に装着されている、前記［１］に記載の装飾体。
［４］連結体と、該連結体を回転駆動する駆動部と、を備え、
前記連結体が、弓形の形状を有して回転軸周りに間隔をあけて配置される複数の縦ピースと、前記複数の縦ピースを連結する横ピースと、を備え、
前記縦ピースの下端部が前記横ピースに対して揺動可能に取り付けられ、複数の縦ピースの上端側を展開及び縮小自在な装飾体。
［５］前記複数の縦ピースは、弓形の本体部から離れて直線状に延びる延出部をそれぞれ備え、
前記複数の縦ピースのそれぞれの前記延出部によって台座が構成され、
表示部が前記台座により支持されている、前記［４］に記載の装飾体。
［６］さらに、ＬＥＤライトが前記縦ピースに列を成して配置されている、前記［１］乃至［５］の何れかに記載の装飾体。
【考案の効果】
【０００７】
本考案によれば、連結体を分割したり、連結体を構成する複数の縦ピースを展開し或いは縮小自在にしたりしていることにより、設置現場において僅かな組立をすればよいように予め出荷時に装飾体の大部分を組み立てておくことができることから、梱包が容易となり、従って搬送が容易となる。
【図面の簡単な説明】
【０００８】
【図１】本考案の第１実施形態に係る装飾体の正面図である。
【図２】図１に示す横ピースの平面図である。
【図３】図１に示す装飾体を構成する分割体同士の組立を示す部分図である。
【図４】図１に示す装飾体を設置現場で組み立てる様子を模式的に示す図である。
【図５】図１に示す連結体への表示部の取付態様を示す図である。
【図６】本考案の第２実施形態に係る装飾体の正面図である。
【図７】図６の装飾体の分解図である。
【図８】図６の装飾体の組立を説明する図である。
【考案を実施するための形態】
【０００９】
以下、本考案の実施形態について図を参照しながら詳細に説明する。
【００１０】
〔第１実施形態〕
図１は本考案の第１実施形態に係る装飾体の正面図である。図１に示すように、第１実施形態に係る装飾体１０は、連結体１１と、連結体１１を回転駆動する駆動部１２と、を備えて構成されている。連結体１１は、複数の分割体１３，１４を回転軸方向に沿って組み合わせて構成されている。複数の分割体は、上側分割体１３と下側分割体１４のように２体であっても、それ以上であってもよい。上側分割体１３，下側分割体１４を区別しない場合には、以下、単に分割体１３，１４として説明する。
【００１１】
分割体１３，１４は、何れも、回転軸周りに設けた複数の縦ピース１５と、複数の縦ピース１５を連結する横ピース１６とを、それぞれ備える。縦ピース１５は、約四分の１の円弧状を有し、切欠部１５ａ，１５ｂが縦ピース１５の上下夫々の端部に設けられ、内側に開口した切欠部１５ａ，１５ｂにより縦ピース１５と横ピース１６とが接続される。
【００１２】
横ピース１６は、第１の横ピース１７と第２の横ピース１８とで構成されている。第１の横ピース１７は円盤状を呈して、切欠部１７ａを周回りに間隔をあけて有している。切欠部１７ａは外方向に開口しており、縦ピース１５の上端部の切欠部１５ａと嵌め合うことで、第１の横ピース１７と複数の縦ピース１５とが接続されている。
【００１３】
図２は図１に示す第２の横ピース１８の平面図である。第２の横ピース１８は、図２に示すように、中央の円盤部１８ａと、円盤部１８ａから周回りに間隔をあけて放射線状に延びる複数のポーク１８ｂと、ポーク１８ｂの先端で支持される円環部１８ｃとで構成されている。切欠部１８ｄが円環部１８ｃに周回りに間隔をあけて設けられ、第２の横ピース１８の切欠部１８ｄと縦ピース１５の切欠部１５ｂとを嵌め込むことで、第２の横ピース１８と複数の縦ピース１５とが接続されている。これらのように、切欠部１５ａと切欠部１７ａとの嵌め合い、切欠部１５ｂと切欠部１８ｄとの嵌合により、縦ピース１５と横ピース１６とが結合されて、第１の分割体１３及び第２の分割体１４がそれぞれ構成される。
【００１４】
第１の分割体１３と第２の分割体１４は、それぞれ半球状のフレームを構成しており、縦ピース１５及び横ピース１６で格子状の窓を有している。図３は、図１に示す装飾体１０を構成する分割体１３、１４同士の組立を示す部分図である。図３に示すように、第１の分割体１３における第２横ピース１８の円盤部１８ａと第２の分割体１４における第２ピース１８の円盤部１８ａにそれぞれ係合部１９として凸部１９ａ，凹部１９ｂの何れかを設け、係合部１９同士により位置合わせして結合することにより、第１の分割体１３と第２の分割体１４とが一つの球状の連結体１１を構成する。
【００１５】
一つの球状の連結体１１が、半球状の第１の分割体１３と半球状の第２の分割体１４とを組み立てることで構成されているので、第１の分割体１３及び第２の分割体１４を組み立てて設置場所に搬送することができ、容易に梱包及び搬送をすることができる。
【００１６】
第１の分割体１３、第２の分割体１４は、図３に示すように、回転軸に沿って配置されたパイプ材２０ａ，２０ｂにより支持されている。これにより、第１の分割体１３、第２の分割体１４がそれぞれ独立に、縦ピース１５と横ピース１６とで組み立てられて補強されている。それぞれ独立した第１の分割体１３と第２の分割体１４とは係合部１９ａ，１９ｂにより連結されている。
【００１７】
その際、図１に示すように、第１の分割体１３の縦ピース１５と第２の分割体１４の縦ピース１５とが連続するよう、第１の分割体１３と第２の分割体１４とを一つのフレーム体として一体感を醸し出す方が見栄え上好ましい。
【００１８】
また、ＬＥＤライト２１が、図１に示すように、第１の分割体１３の縦ピース１５と第２の分割体１４の縦ピース１５とに列上に並べて配置されることが好ましい。これにより、連結体１１が第１の分割体１３及び第２の分割体１４で連続して一体的な見栄えを呈する。
【００１９】
第１の分割体１３と第２の分割体１４との間には、図３に示すように、コントロールボックス２２が取り付けられている。コントロールボックス２２は、接続端子２２ａを有しており、第１の分割体１３のパイプ材２０ａ、第２の分割体のパイプ材２０ｂに、ＬＥＤライト２１とコントローラボックス２２や給電部２３との間の配線を収容することができる。第１の分割体１３、第２の分割体１４は、連結体１１を構成して全体としてあたかもグローブジャングルジムを呈するので、連結体１１は格子状の窓を沢山有しても、ＬＥＤライト２１が縦ピース１５に取り付けられても、ＬＥＤライト２１とコントローラボックス２２、給電部２３との間の配線を露出し難くして、装飾性を向上させている。
【００２０】
連結体１１は、支持台２４に取り付けられ、第２の分割体１４の第１の横ピース１７を支持台２４に装着している。支持台２４内には、図１に示すように駆動軸２５を装着した駆動部１２を収容しており、駆動部１２を構成するギア及びモータにより、モータの回転数と連結体１１の回転数との調整をしている。
【００２１】
連結体１１には、表示部２６が、ブラケット２７の対により取り付けられている。表示部２６は、例えば中空の輪郭体の前後に透光性を有する板が取り付けられて構成され、輪郭体内にＬＥＤライトを配置して構成される。表示部２６は、第１の分割体１３及び第２の分割体１４と跨ぐように連結体１１に取り付けられている。これにより、第一に、連結体１１が分割体１３，１４の組立体であることを認識され難くする。第二に、装飾体１０の宣伝広告機能をより発揮することができる。図４に示すように、複数の表示部２６が連結体１１に対向して取り付けられることにより、装飾体１０の宣伝広告機能をより発揮させることができる。
【００２２】
ブラケット２７は、取付部２７ａに対して略クランク状に延びた屈曲部２７ｂで構成され、取付部２７ａと屈曲部２７ｂとの付け根２７ｃ、屈曲部２７ｂのうちの最初のコーナー２７ｄに調整部２７ｅを設けて構成されている。取付部２７ａはそれぞれ表示部２６、縦ピース１５にそれぞれ取り付けられ、屈曲部２７ｂ同士を嵌め合わせて、連結体１１に表示部２６が取り付けられる。ブラケット２７により連結体１１への表示部２６の簡便な取付けが可能になる。
【００２３】
〔第２の実施形態〕
図６は本考案の第２実施形態に係る装飾体の正面図、図７は図６に示す装飾体３０の分解図である。第２実施形態に係る装飾体３０は、連結体３１と、連結体３１を回転駆動する駆動部３２と、を備えて構成されている。連結体３１は、回転軸周りに間隔をあけて配置される複数の縦ピース３３と、縦ピース３３の上下の中間位置を揺動可能に支持する横ピースとしての連結ピース３４と、で構成されている。連結ピース３４は駆動部３２の上部に取り付けられる。
【００２４】
各縦ピース３３は下端部が直線状を呈しており、上端部になるにつれて湾曲する略弓形をしている。縦ピース３３が開いている状態では、連結体３１は上方に開いて展開して拡大している。各縦ピース３３が連結ピース３４の外周部に蝶番３５によって取り付けられているため、図８に示すように、縦ピース３３を全体的に回転軸に沿って立てた状態にして、各縦ピース３３の上端を集結させることができる。すると、複数の縦ピース３３を連結ピース３４に蝶番３５でそれぞれ接続して仮組立をした後でも、連結体３１を駆動部３２ともどもコンパクトに梱包し、容易に搬送することができる。
【００２５】
各縦ピース３３は、装飾体３０の設置場所において、縦ピース３３の上端を蝶番３５により開いて展開し、複数の縦ピース３３の上端を回転軸から離隔することで、複数の縦ピース３３が恰も葉が開いているように醸し出すことができる。
【００２６】
さらに、縦ピース３３は、弓形の本体から外れて、下端部から上方に直線状に延びる延出部３３ａを有している。複数の縦ピース３３の各延出部３３ａが周状に配置されるので、各延出部３３ａが台座３６として機能し、表示部３６が台座３６上に設置される。表示部３７は、下部の支持部３７ａを台座３６に載置することで連結体１１に取り付けられる。表示部３７の本体部３７ｂは、例えば中空の輪郭体の前後に透光性を有する板が取り付けられて構成され、輪郭体内にＬＥＤライトを配置して構成される。表示部３７が縦ピース３３の上端よりも高くなるように寸法設定することにより、表示部３７の本体部３７ｂをより一層需要者にアピールすることができ、装飾体３０の宣伝広告機能をより発揮することができる。
【００２７】
ＬＥＤライト３８は、縦ピース３３の形状に沿って並べて配置されることが好ましい。これにより、表示部３７の本体部３７ｂを需要者にアピールすることができる。ＬＥＤライト３７はコントロールボックス３９に配線で接続され、コントロールボックス３９は、平板状の連結ピース３４上に載置される。
【００２８】
連結体３１は、支持台４０に取り付けられ、連結ピース３４を回転駆動するための駆動軸３２ａを装着した駆動部３２が支持台４０に収容されており、駆動部３２を構成するギア及びモータにより、モータの回転数と連結体３１の回転数との調整をしている。
【００２９】
本考案の第１実施形態では、複数の縦ピース１５を横ピース１６で組み合わせて格子状の複数の分割体１３，１４とし、複数の分割体１３，１４を組み合わせて連結体１１としている。よって、装飾体１０を設置する場所に搬送する前に、分割体１３，１４まで組み立てておけば、手慣れたエンジニアでなくても装飾体１０の発注者でも簡便に組み立てて所望の場所に装飾体１０を設置することができる。連結体１１は比較的目立つように大きいものであるが、連結体１１を構成する分割体１３，１４は比較的コンパクトに小型化されるため、容易に搬送することができる。
【００３０】
第２の実施形態においても、連結体３１が複数の縦ピース３３と横ピース３４とを組み合わせて構成されるところ、その連結体３１が大きくならないように、複数の縦ピース３３を展開しないで閉じておくことで、連結体３１を回転軸に沿った形状とするこができる。よって、第１の実施形態と同様に、装飾体３０を設置する場所に搬送する前に、連結体３１を組み立てておけば、手慣れたエンジニアでなくても装飾体１０の発注者でも簡便に組み立てて所望の場所に装飾体３０を設置することができる。連結体３１は比較的目立つように大きいものであるが、連結体３１を構成する縦ピース３３を閉じておくことにより比較的コンパクトに小型化されるため、容易に搬送することができる。
【００３１】
本考案の実施形態は、図面に示したものに限定されることなく、実用新案登録請求の範囲に記載した考案の範囲で適宜変更されるものを含む。装飾体を設置した後でも、表示部の表示内容、形状、寸法を容易に変更できるので、設置ニーズに応じやすい。
【符号の説明】
【００３２】
１０：装飾体
１１：連結体
１２：駆動部
１３，１４：分割体
１５：縦ピース
１５ａ，１５ｂ：切欠部
１６：横ピース
１７：第１の横ピース
１７ａ：切欠部
１８：第２の横ピース
１８ａ：円盤部
１８ｂ：ポーク
１８ｃ：円環部
１８ｄ：切欠部
１９：係合部
１９ａ：凸部
１９ｂ：凹部
２０ａ，２０ｂ：パイプ材
２１：ＬＥＤライト
２２：コントロールボックス
２３：給電部
２４：支持台
２５：駆動軸
２６：表示部
２７：ブラケット
２７ａ：取付部
２７ｂ：屈曲部
２７ｃ：付け根
２７ｄ：コーナー
２７ｅ：調整部
３０：装飾体
３１：連結体
３２：駆動部
３２ａ：駆動軸
３３：縦ピース
３３ａ：延出部
３４：連結ピース（横ピース）
３５：蝶番
３６：台座
３７：表示部
３７ａ：支持部
３７ｂ：本体部
３８：ＬＥＤライト
３９：コントロールボックス
４０：支持台
【図１】
0003200515.tif 000003
【図２】
0003200515.tif 000004
【図３】
0003200515.tif 000005
【図４】
0003200515.tif 000006
【図５】
0003200515.tif 000007
【図６】
0003200515.tif 000008
【図７】
0003200515.tif 000009
【図８】
0003200515.tif 000010